(57)【要約】【目的】テンション調節の容易化、スプロケットの取付軸の変形や捻じれの防止・抑制、組立取付の容易化、低コスト化。【構成】搬送方向に長く形成した機筐１の一端または中間上方位置の供給部２から該供給部２の他端側の排出部６へ供給された搬送物を搬送する搬送コンベア７を設け、該搬送コンベア７のチェン１３は従動スプロケット８と駆動スプロケット１０に掛け回し、前記従動スプロケット８または前記駆動スプロケット１０の何れかの回転軸は前記機筐１に対して前後移動自在にし、前記回転軸の両端を同時に移動させるように構成した横送り搬送装置のテンション調節装置。【選択図】　　図２
2004043045.tif 000002
【特許請求の範囲】
【請求項１】
搬送方向に長く形成した機筐１の一端または中間上方位置の供給部２から該供給部２の他端側の排出部６へ供給された搬送物を搬送する搬送コンベア７を設け、該搬送コンベア７のチェン１３は従動スプロケット８と駆動スプロケット１０に掛け回し、前記従動スプロケット８または前記駆動スプロケット１０の何れかの回転軸は前記機筐１に対して前後移動自在にし、前記回転軸の両端を同時に移動させるように構成した横送り搬送装置のテンション調節装置。
【請求項２】
請求項１において、前記従動スプロケット８または前記駆動スプロケット１０の何れかの回転軸は、前記機筐１に前後移動可能に設けた左右一対の前後移動板１７に軸装し、左右の前後移動板１７は一対のリンク杆２８の一端に取付けて該リンク杆２８の回動により移動するようにし、前記一対のリンク杆２８の他端は連結体３２により連結して該連結体３２の中間部をテンション調節軸３３により移動させるようにした横送り搬送装置のテンション調節装置。
【請求項３】
請求項２において、前記一対のリンク杆２８はその中間部を前記機筐１に回動自在に取付け、各リンク杆２８の下端はロッド２６を介して前記左右の前後移動板１７に夫々取付け、前記各リンク杆２８の上端は連結体３２により連結し、該連結体３２には前記機筐１に設けた調節軸軸受部３５に前後移動可能に設けたテンション調節軸３３を取付けた横送り搬送装置のテンション調節装置。
【請求項４】
請求項１〜請求項３の何れかにおいて、前記従動スプロケット８または前記駆動スプロケット１０の何れかの回転軸は、その両端を同時にバネ４１の弾力によりチエン緊張方向に移動するように常時付勢するように構成した横送り搬送装置のテンション調節装置。
【請求項５】
請求項４において、前記従動スプロケット８または前記駆動スプロケット１０の何れかの回転軸は前記機筐１に前後移動可能に設けた左右一対の前後移動板１７に軸装し、左右の前後移動板１７にはロッド２６の一端を取付け、ロッド２６の他端は一対のリンク杆２８の下端に取付け、リンク杆２８の中間部は前記機筐１に回動自在に取付け、リンク杆２８の上端を連結する連結体３２と該連結体３２を前後移動させるテンション調節軸３３の間にバネ４１を設けた横送り搬送装置のテンション調節装置。
【発明の詳細な説明】
【０００１】
【発明が属する技術分野】
本発明は、穀粒等の搬送物の搬送する横送り搬送装置の、特に従動スプロケットの周囲に設けた穀粒案内部の取付および移動に関するものである。
【０００２】
【従来の技術】
従来公知の、実開平７−３０２１８号公報には、搬送方向に長く形成した機筐に搬送コンベアを設け、該搬送コンベアのチェンを掛け回す従動スプロケットは、前記機筐に対して前後移動自在の取付軸により軸装し、取付軸の両端は左右一対の前後移動板に軸装し、各前後移動板は調節螺子軸により前後移動するようにした構成について記載されている。
【０００３】
【発明が解決しようとする課題】
前記公知例は、取付軸の左右両端を個別に調節螺子軸により移動させるので、取付軸は常に左右何れかが斜めになって移動し、移動が円滑でないという課題がある。
また、左右の調節螺子軸により個別に調節するので、調節に時間を要するだけでなく、必ずしも取付軸が並行に移動せず、斜めになることがあり、搬送コンベアの騒音ひいては搬送不良の原因となることがある。
また、左右２か所調節するので、左右両側に夫々目盛りが必要となって、面倒である。即ち、目盛りを設けることは、実際の製作作業では製造および組立誤差を入念に調べた上で、左右両側に夫々設けなくてはならず、非常に面倒である。
本願は、テンション調節を容易に正確に行えるようにしたものである。
【０００４】
【発明の目的】
テンション調節の容易化、スプロケットの取付軸の変形や捻じれの防止・抑制、組立取付の容易化、低コスト化。
【０００５】
【課題を解決するための手段】
本発明は、搬送方向に長く形成した機筐１の一端または中間上方位置の供給部２から該供給部２の他端側の排出部６へ供給された搬送物を搬送する搬送コンベア７を設け、該搬送コンベア７のチェン１３は従動スプロケット８と駆動スプロケット１０に掛け回し、前記従動スプロケット８または前記駆動スプロケット１０の何れかの回転軸は前記機筐１に対して前後移動自在にし、前記回転軸の両端を同時に移動させるように構成した横送り搬送装置のテンション調節装置としたものである。
本発明は、前記従動スプロケット８または前記駆動スプロケット１０の何れかの回転軸は、前記機筐１に前後移動可能に設けた左右一対の前後移動板１７に軸装し、左右の前後移動板１７は一対のリンク杆２８の一端に取付けて該リンク杆２８の回動により移動するようにし、前記一対のリンク杆２８の他端は連結体３２により連結して該連結体３２の中間部をテンション調節軸３３により移動させるようにした横送り搬送装置のテンション調節装置としたものである。
本発明は、前記一対のリンク杆２８はその中間部を前記機筐１に回動自在に取付け、各リンク杆２８の下端はロッド２６を介して前記左右の前後移動板１７に夫々取付け、前記各リンク杆２８の上端は連結体３２により連結し、該連結体３２には前記機筐１に設けた調節軸軸受部３５に前後移動可能に設けたテンション調節軸３３を取付けた横送り搬送装置のテンション調節装置としたものである。
本発明は、前記従動スプロケット８または前記駆動スプロケット１０の何れかの回転軸は、その両端を同時にバネ４１の弾力によりチエン緊張方向に移動するように常時付勢するように構成した横送り搬送装置のテンション調節装置としたものである。
本発明は、前記従動スプロケット８または前記駆動スプロケット１０の何れかの回転軸は前記機筐１に前後移動可能に設けた左右一対の前後移動板１７に軸装し、左右の前後移動板１７にはロッド２６の一端を取付け、ロッド２６の他端は一対のリンク杆２８の下端に取付け、リンク杆２８の中間部は前記機筐１に回動自在に取付け、リンク杆２８の上端を連結する連結体３２と該連結体３２を前後移動させるテンション調節軸３３の間にバネ４１を設けた横送り搬送装置のテンション調節装置としたものである。
【０００６】
【実施例】
本発明の一実施例を図により説明すると、１は横送り搬送装置の機筐であり、搬送方向に長く形成する。該機筐１の一端側上方位置に供給部２を設け、他端には落口５を有する排出部６を設ける。
この場合、供給部２は１個または複数を中間部に設けてもよく、同様に他端の排出部６以外にも中間部に１個または複数の排出部６を設けてもよく、中間の排出部６には落口５を開閉させるシャッター（図示省略）を設ける。
【０００７】
前記供給部２の供給口（図示省略）と他端の排出部６の間の機筐１内には、搬送コンベア７を設ける。説明の都合上搬送コンベア７の搬送方向を前後方向とすると、搬送コンベア７は、前記供給部２の後部の機筐１内に従動スプロケット８を取付軸（従動軸）９により軸装する。前記終端の排出部６より手前側の機筐１内に駆動スプロケット１０を取付軸（駆動軸）１１により軸装する。この従動スプロケット８と駆動スプロケット１０の間に複数の搬送体１２を所定間隔を置いて設けたチェン１３を掛け回す。
前記搬送体１２は、供給部２の手前側（後側）より供給部２へ向かって移動することにより、搬送を確実にしている。
【０００８】
前記取付軸９の左右両端は、機筐１の左右機筐側板１５に形成した前後方向に長い取付軸案内長孔１６より左右側に突出させる。取付軸案内長孔１６より突出する取付軸９の左右両端は、左右一対の前後移動する前後移動板１７に夫々軸受部材１８を介して取付ける。
前後移動板１７は縦板状に形成し、機筐側板１５に対して任意の構成で前後に移動するように取付ける。実施例では、機筐側板１５の側部に所定の隙間を有して上下一対の移動板取付用板１９を固定し、この隙間に前後移動板１７の上下縁を嵌合させて取付けている。
【０００９】
しかして、前記前後移動板１７には、チェン１３の緊張程度を調節するテンション調節機構Ｔを設ける。テンション調節機構Ｔは、取付軸９の左右両端を同時に同量移動させてチェン１３の張り具合を調節するように構成する。
取付軸９の左右両側を軸装した前後移動板１７にはロッド２６の前端を軸２７により回動自在に取付け、ロッド２６の後端にはリンク杆２８の下端を軸２９により軸着し、リンク杆２８の上下中間部は機筐１に設けた取付支持部材３０に軸３１により回動自在に取付け、リンク杆２８の上端は機筐１の天板より上方に位置させ、左右のリンク杆２８の上端は左右方向の連結体３２により連結する。
【００１０】
連結体３２の左右中間部分にはテンション調節軸３３の後端を取付け、テンション調節軸３３の前側は機筐１の天板３４の上面に設けた調節軸軸受部３５に挿通し、テンション調節軸３３の前側部分の螺子溝を形成した部分は調節軸軸受部３５より突出させ、テンション調節軸３３の螺子軸部に調節用ナット３６を螺合させ、調節用ナット３６を回転させるとテンション調節軸３３が前後に移動するように構成している。３７はロック用ナットである。
即ち、前記テンション調節機構Ｔは、ロッド２６とリンク杆２８と連結体３２を有するリンク機構に構成し、このテンション調節機構Ｔにより取付軸９の両端を同時に同量移動（牽引）させてチェン１３の張り具合を調節する。
この場合、ロッド２６はリンク杆２８の下端の円弧移動を直線移動にして前後移動板１７を移動させ、また、リンク杆２８は軸３１よりも下方部分の長さを所定長さに形成してロッド２６の移動が水平方向に近づくように構成すると、前後移動板１７の移動が円滑になって、好適である。
【００１１】
図６〜図９は、他の実施例であり、取付軸９の両端を同時にバネ４１の弾力によりチエン緊張方向に移動するように常時付勢するように構成したものである。
テンション調節機構Ｔの前記左右のリンク杆２８の上端を連結する連結体３２に複数の取付孔４０を並設し、取付孔４０にはバネ４１の後端を係止し、バネ４１の前端は前記テンション調節軸３３の後端に設けたバネ取付板４２に係止し、バネ４１の弾力でテンション調節機構Ｔを作動させて、取付軸９の両端を同時に且つ常時牽引してチェン１３を緊張させる。
【００１２】
この場合、バネ４１は少なくとも連結体３２の左右側に一対設け、連結体３２の左右両側がバネ４１により牽引されるようにする。また、機筐１（チエン１３）の長さにより左右および中央の３本バネ４１を設けたり、あるいは４本、５本と適宜変更調節する。
図中、４３はモーターである。
【００１３】
【作用】
次ぎに作用を述べる。
モーター４３に通電すると、駆動スプロケット１０が回転し、駆動スプロケット１０はチェン１３を回転させて搬送体１２を機筐１の始端部より終端部に移動させる。
この状態で、供給部２に搬送物を供給すると、搬送物は供給部２から機筐１内に入り、移動する搬送体１２により機筐底板４４上に沿って終端に向けて搬送される。
【００１４】
しかして、前記チェン１３は、機筐１内に駆動スプロケット１０と従動スプロケット８との間に掛け回されており、チェン１３が緩むと、従動スプロケット８の取付軸９を移動させて緊張させる。
【００１５】
従動スプロケット８の取付軸９の左右両端は、機筐１の機筐左右側板１５に形成した前後方向に長い取付軸案内長孔１６より左右側に突出させ、取付軸９の左右両端には機筐１に対して前後移動する前後移動板１７を取付け、左右の前後移動板１７にはテンション調節機構Ｔのロッド２６を取付けているから、テンション調節機構Ｔのテンション調節軸３３を回転させると、テンション調節機構Ｔは左右の前後移動板１７を牽引して移動させ、これにより取付軸９の左右両端を同時に移動させてチェン１３を緊張させる。
即ち、テンション調節機構Ｔはリンク機構によりテンション調節軸３３を回転させると、左右の前後移動板１７を同時に牽引するように構成しているから、チェン１３のテンション調節はテンション調節軸３３を回転させるだけで一度にでき、頗る簡単で調整時間を著しく短縮できるだけでなく、左右の前後移動板１７を同時に同量牽引するので、取付軸９が平面視左右の何れか一方側が前後して斜めになる偏りも防止でき、搬送体１２の移動も円滑にし、合理的な構成となる。
【００１６】
しかして、各前後移動板１７の後端側にはロッド２６の前端を取付け、ロッド２６の後端にはリンク杆２８の下端を軸着し、リンク杆２８の上下中間部は機筐１に軸軸３１により回動自在に取付け、左右のリンク杆２８の上端は左右方向の連結体３２により連結し、連結体３２の左右中間部分にはテンション調節軸３３の後端を固定し、テンション調節軸３３の前側部分の螺子溝を形成した部分は機筐１の天板３４上面に設けた調節軸軸受部３５に挿通し、調節軸軸受部３５より突出部分に調節用ナット３６を螺合させてテンション調節機構Ｔを構成しているから、調節用ナット３６を回転させてテンション調節軸３３を所定量牽引すると、テンション調節軸３３は連結体３２を牽引し、連結体３２は左右のリンク杆２８の上端を同時に同量牽引し、リンク杆２８の下端はロッド２６を後側に牽引し、これにより前後移動板１７を同時に同量牽引してチェン１３を緊張させ、テンション調節を終了する。
【００１７】
この場合、テンション調節機構Ｔは、リンク杆２８の上下中間部を機筐１に軸軸３１により回動自在に取付けているから、チェン１３を緊張させるために前後移動板１７を後側に移動させる牽引作用方向をリンク杆２８により前側に牽引させるように変換でき、テンション調節軸３３の移動方向を前側にして、テンション調節機構Ｔの操作スペースを機筐１の上方に収めることができる。
即ち、テンション調節機構Ｔはリンク杆２８を有するリンク機構に構成し、これにより取付軸９の両端を同時に牽引するだけでなく、チェン１３を緊張させるための前後移動板１７の後側移動による牽引作用方向をテンション調節軸３３を前側移動させて牽引するように変換してチェン１３の張り具合を調節する。
【００１８】
また、テンション調節軸３３により同時に前後移動板１７を移動させるので、従来の左右側に設けた前後移動板１７の移動量を示す目盛りは不要となって、構成を簡素にする。
即ち、目盛りを設けることは、実際の製作作業では製造および組立誤差を入念に調べた上で、左右両側に夫々設けなくてはならず、案外面倒であり、この工程を省略すると、製造コストを低くできる。
前記の場合、リンク杆２８のうち軸３１より下方部分は、ロッド２６が水平移動に近づくように所定長さを有して形成するように構成すると、リンク杆２８が回動してロッド２６を介して前後移動板１７を移動させるとき、前後移動板１７の前後動が円滑になって、好適である。
また、左右のリンク杆２８は軸軸３１により個別に回動自在に取付けられているから、製造組立誤差を吸収できる。
なお、チェン１３は、所定時間駆動使用すると、緩むので、所定期間ごとに点検してテンション調節するが、この際の点検時間を極めて短時間にできる。
【００１９】
しかして、図６〜図９の他の実施例では、テンション調節機構Ｔの前記左右のリンク杆２８の上端を連結する連結体３２に複数の取付孔４０を並設し、取付孔４０にはバネ４１の後端を係止し、バネ４１の前端は前記テンション調節軸３３の後端に設けたバネ取付板４２に係止しているから、調節用ナット３６を回転させてテンション調節軸３３を所定量牽引すると、テンション調節軸３３はバネ取付板４２を牽引し、バネ取付板４２はバネ４１を牽引し、バネ４１は連結体３２を常時前側に牽引する。
【００２０】
連結体３２はバネ４１の弾力で左右のリンク杆２８の上端を同時に同量常時牽引し、リンク杆２８の下端はロッド２６を後側に牽引し、これにより前後移動板１７を同時に同量牽引してチェン１３を緊張させ、テンション調節を終了する。したがって、テンション調節機構Ｔの作動経路中にバネ４１を設けているから、バネ４１の弾力が常時チェン１３を所定の力で緊張させた状態を維持し、テンション調節の回数を減少させることができ、メンテナンスを容易にする。
なお、チェン１３が緩むと、所定量伸びていたバネ４１が縮むので、定期的にバネ４１の長さを見ると、チェン１３の張り具合を点検でき、点検作業を容易にする。
【００２１】
なお、実施例では、従動軸９を移動させてテンション調節するようにしているが、駆動スプロケット１０の取付軸（駆動軸）１１を移動させてテンション調節するようにしてもよく、取付軸（駆動軸）１１を前後移動板１７に軸装し、その他の構成は同一でよい。
【００２２】
【発明の効果】
本発明は、搬送方向に長く形成した機筐１の一端または中間上方位置の供給部２から該供給部２の他端側の排出部６へ供給された搬送物を搬送する搬送コンベア７を設け、該搬送コンベア７のチェン１３は従動スプロケット８と駆動スプロケット１０に掛け回し、前記従動スプロケット８または前記駆動スプロケット１０の何れかの回転軸は前記機筐１に対して前後移動自在にし、前記回転軸の両端を同時に移動させるように構成した横送り搬送装置のテンション調節装置としたものであるから、回転軸の両端を同時に移動させて調節するので、一度で調節でき、短時間で簡単にでき、取付軸の左右両端を同時に移動させるので、取付軸は常に平行状態を保ったまま円滑に移動させることができ、そのため、取付軸の移動による捻じれ湾曲変形が抑制あるいは防止され、取付軸が斜めになることがなく、搬送コンベアの騒音や搬送不良の不具合の原因を発生させない。
本発明は、前記従動スプロケット８または前記駆動スプロケット１０の何れかの回転軸は、前記機筐１に前後移動可能に設けた左右一対の前後移動板１７に軸装し、左右の前後移動板１７は一対のリンク杆２８の一端に取付けて該リンク杆２８の回動により移動するようにし、前記一対のリンク杆２８の他端は連結体３２により連結して該連結体３２の中間部をテンション調節軸３３により移動させるようにした横送り搬送装置のテンション調節装置としたものであるから、テンション調節装置をリンク機構で構成でき、リンク杆２８を追加すればよいので部品点数および組立工数を増さなくてコストを高くしなくてすみ、また、チェン１３のテンション調節に伴う移動の際、前後移動板１７の変形や捻じれの発生を抑制あるいは防止する。
本発明は、前記一対のリンク杆２８はその中間部を前記機筐１に回動自在に取付け、各リンク杆２８の下端はロッド２６を介して前記左右の前後移動板１７に夫々取付け、前記各リンク杆２８の上端は連結体３２により連結し、該連結体３２には前記機筐１に設けた調節軸軸受部３５に前後移動可能に設けたテンション調節軸３３を取付けた横送り搬送装置のテンション調節装置としたものであるから、チェン１３の緊張移動方向をリンク杆２８により変換して機筐１の上方にテンション調節軸３３を設けることができ、機筐１の上方空間を有効利用して横送り搬送装置全体の大きさを大型にしないですむ。
本発明は、前記従動スプロケット８または前記駆動スプロケット１０の何れかの回転軸は、その両端を同時にバネ４１の弾力によりチエン緊張方向に移動するように常時付勢するように構成した横送り搬送装置のテンション調節装置としたものであるから、常時チェン１３を所定の力で緊張させた状態を維持し、テンション調節の回数を減少させることができ、メンテナンスを容易にする。
本発明は、前記従動スプロケット８または前記駆動スプロケット１０の何れかの回転軸は前記機筐１に前後移動可能に設けた左右一対の前後移動板１７に軸装し、左右の前後移動板１７にはロッド２６の一端を取付け、ロッド２６の他端は一対のリンク杆２８の下端に取付け、リンク杆２８の中間部は前記機筐１に回動自在に取付け、リンク杆２８の上端を連結する連結体３２と該連結体３２を前後移動させるテンション調節軸３３の間にバネ４１を設けた横送り搬送装置のテンション調節装置としたものであるから、バネ４１を簡単に設けることができる。
【図面の簡単な説明】
【図１】横送り搬送装置の側面図。
【図２】テンション調節装置部分の側面図。
【図３】同斜視図。
【図４】同平面図。
【図５】同背面図。
【図６】テンション調節装置の他の実施例の側面図。
【図７】同斜視図。
【図８】同平面図。
【図９】同背面図。
【図１０】第１実施例の作用状態図。
【図１１】第２実施例の作用状態図。
【符号の説明】
１…機筐１、２…供給部、５…落口、６…排出部、７…搬送コンベア、８…従動スプロケット、９…取付軸、１０…駆動スプロケット、１１…取付軸、１２…搬送体、１３…チェン、１５…機筐側板、１６…取付軸案内長孔、１７…前後移動板、１８…軸受部材、２６…ロッド、２７…軸、２８…リンク杆、２９…軸、３０…取付支持部材、３１…軸、３２…連結体、３３…テンション調節軸、３５…調節軸軸受部、３６…調節用ナット、３７…ロック用ナット、４０…取付孔、４１…バネ、４２…バネ取付板、Ｔ…テンション調節機構。
【図１】
2004043045.tif 000003
【図２】
2004043045.tif 000004
【図３】
2004043045.tif 000005
【図４】
2004043045.tif 000006
【図５】
2004043045.tif 000007
【図６】
2004043045.tif 000008
【図７】
2004043045.tif 000009
【図８】
2004043045.tif 000010
【図９】
2004043045.tif 000011
【図１０】
2004043045.tif 000012
【図１１】
2004043045.tif 000013